(57)【特許請求の範囲】
【請求項１】
その上側に一様な相互モジュール間隔の複数の結合ノブを有し、かつ別の前記積み重ねブロックの結合ノブと結合される下向きの相補結合手段を備えたほぼ箱状の本体部を備える積み重ねブロックを有する積み重ねブロック装置において、
該ブロックは、該ブロックの該本体部の下方に延在する１個以上の間隔片を有し、この間隔片は、２個の積み重ねブロックを互いの頂部に積み重ねる時、積み重ねブロックの本体部がこれらの周辺全体に沿って互いに離間するように形成され、
ブロックの積み重ね時、本体部の上方の結合ノブの高さが積み重ねブロックの本体部間の間隔よりも大きいことを特徴とする積み重ねブロック装置。
【請求項２】
本体部間の間隔は３ｍｍより大きい請求項１に記載の積み重ねブロック装置。
【請求項３】
間隔片が相補結合手段の一部分を形成する請求項１に記載の積み重ねブロック装置。
【請求項４】
相補結合手段が円筒結合管によって形成され、かつブロックの積み重ね時、結合ノブが円筒結合管内に適合する外側形状を備える大きい結合ノブを有する請求項１に記載の積み重ねブロック装置。
【請求項５】
ブロックの積み重ね時、正確に４個の小さい結合ノブが円筒結合管によって包囲される相互モジュール間隔及び直径を有する正方形パターン内に配置される小さい結合ノブを備えるブロックを有する請求項４に記載の積み重ねブロック装置。
【請求項６】
大きい結合ノブ間のモジュール間隔が、小さい結合ノブ間のモジュール間隔の３倍である請求項５に記載の積み重ねブロック装置。
【請求項７】
大きい結合ノブ間のモジュール間隔の整数倍に相当する外側横寸法の本体部を有する積み重ねブロックを備え、かつ積み重ね後、小さい結合ノブは積み重ねブロックの本体部間の間隔よりも小さい積み重ねブロックの本体部の上方高さを有する請求項６に記載の積み重ねブロック装置。
【請求項８】
ブロックの積み重ね時、結合ノブと円筒結合管は、小さい結合ノブ、大きい結合ノブ、及び円筒結合管の間に摩擦結合を与えるように寸法が選定される請求項７に記載の積み重ねブロック装置。
【発明の詳細な説明】
この発明は、その上側の固定の相互モジュール間隔の結合ノブを有し、かつ結合ノブと結合される下向きの相補結合手段を備えた本体部を有する積み重ねブロックから成る積み重ねブロック装置に関する。
このような積み重ねブロック装置または積み木装置は多数の異なる実施例で利用可能であり、これらは、しばしば異なる形式の構造物に対して設計される。これらの公知の装置は、しばしば、相互の表面上に積み重なる２個のブロックの間にすきまがないように設計されるから、これらのブロックは、上からブロックを引っ張ったりねじったりしないと分離できない。
特定の寸法の壁や柱を建てるとき、例えば壁や柱の中心においてブロックを分離することは、非常に困難である。
よって、この発明の目的は、公知のものよりも高度に、特に幼児、例えば年齢２〜３歳以下の子供に対して容易に分離できるブロックを与える積み重ねブロック装置を提供することである。
これは、ブロックが下向きに１個以上の間隔片を有し、この間隔片が２個の積み重ねブロックを互いの表面上に積み重ねる時、積み重ねブロックの本体部をこれらの周辺全体に沿って離間することで、冒頭に述べる形式の積み重ねブロック装置によって達成される。これによって、関係する積み重ねブロックが組み立てられる壁や柱などの中心内に存在しても、例えば子供の指で、与えられる積み重ねブロックの下縁の保持部を確実、容易に把握可能にする握り縁またはすきまが与えられる。
請求の範囲第２項において、本体部間の好ましい間隔は３ｍｍ以上とされ、その結果、相互の表面上に積み重なる２個の積み重ねブロック上の本体部の間に確定されるすきまは、上述の年齢の子供の手に対する握り縁として非常に良く役立つ。
請求の範囲第３項と第４項にそれぞれ述べるように、結合接続部は積み重ねの時、積み重ねブロックの本体部の上方の結合ノブの高さが積み重ねブロックの本体部間の間隔よりも大きく、またはこれよりも小さく、かつ相補結合手段が積み重ねブロックの本体部のやや下方の延びることで行われる。
積み重ね後、直ちに２個の積み重ねブロック間の間隔を確定する間隔片はこの機能だけを有する要素として与えられるが、請求の範囲第５項による好適な実施例において、間隔片は相補結合手段の部分を形成する。
結合ノブと相補結合手段は多くの態様で与えられるが、請求の範囲第６項と第７項はこれらの好適な実施例を規定する。
大きい結合ノブは、好ましくは、請求の範囲第８項に述べるように、小さい結合ノブ間のモジュール間隔の３倍の大きさの相互モジュール間隔を有する。これによって、結合ノブ間の適応可能程度が確実に高まって、どの結合ノブが個々の積み重ねブロック上にあるかに関係なく、積み重ねブロックは互いの表面上に任意に積み重ねることができ、その結果、増大したあそび値が得られる。
この発明の好適な実施例を規定する請求の範囲第９項において、積み重ねブロックは、大きい結合ノブの間のモジュール間隔の整数倍に相当する外側横寸法でほぼ箱状の本体部を有し、かつ小さい結合ノブは、積み重なる時積み重ねブロックの本体部の間の間隔よりも小さい、積み重ねブロックの本体部上方高さを有する。これは、箱状本体部が積み重ねブロック上で小さい結合ノブの列を部分的にカバーしても、積み重ねブロックが正方形パターンにおいて多数の小さい結合ノブを有する建物板上に置かれることを妨げないから、さらに適応可能性を確実に増大させる。
特に好適な実施例を規定する請求の範囲第１０項において、積み重ねブロックのあそび値が特に大きいのは、小さい結合ノブと円筒結合管との間に摩擦結合が与えられるとともに、円筒結合管と大きい結合ノブとが結合される時摩擦は発生しないからである。これはブロックの積み重ねに対して程度の異なる困難度を与えて、大きい結合ノブ上に摩擦なしにブロックを積み重ねるのは非常に容易だが、小さい結合ノブ上に摩擦によりブロックを積み重ねるのはやや困難である。大きい結合ノブと小さい結合ノブの間の視覚的差異によって、積み重ねブロックで遊ぶ子供は、簡単な方法で困難度を選択できる。
この発明の実施例を、図を参照して以下でより詳細に説明する。
図１はこの発明による積み重ねブロックの実施例の上方斜視図である。
図２はこの発明による積み重ねブロックの別の実施例の上方斜視図である。
図３は図１と図２の積み重ねブロックの下方斜視図である。
図４は相互の上に積み重なる、この発明による２個の積み重ねブロックの下方斜視図である。
図５は建物板上に置かれる図４の積み重ねブロックの断面平面図である。
図６は図５の建物板と積み重ねブロックの側面図である。
図７は車輪付きでこの発明による積み重ねブロックの代替的実施例上方斜視図である。
図８は図７の積み重ねブロックの斜め底面図である。
図１は１個だけのノブ２を有する積み重ねブロック１を示す。ノブ２は箱状の本体部３上の中心に具備されている。ノブ２は下向きに、任意選択的に上向きにノブ２を狭くする僅かな円錘とともに、円対称の円筒として形成されている。ここで、ノブ２の表面は球殻部分として形成されて、ノブに対して非常に丸い形状の外観を与える。これによって、ノブ２上の丸い形状は子供の手に対し良好な握り面を与える一方、踏み付けや衝突などに不快な、鋭い縁が存在しない。
図２はこの発明による別の積み重ねブロック５を示し、これは図１に示す積み重ねブロック１と同様な箱状本体部３を有する。図２に示す積み重ねブロック５は、４個の小さい結合ノブ６を有する点で図１の積み重ねブロックと異なるだけである。
図３は下から見た図２の積み重ねブロック５を示す。図３から分かるように、積み重ねブロック５は内部で中空であり、かつ所定の目的のために具備されているリブ８によって側壁４に関して補強される結合管７を有する。この実施例は、射出成形法で特に簡単に製造できる。
図３に示す結合管７の直径は、結合管７を、図１の積み重ねブロック１上に結合ノブ２を越えて、または図２の積み重ねブロック５上に４個の小さい結合ノブ６を越えて下降可能にするように選定されている。これによって、何個かのこのようなブロックの積み重ねが可能になる。
図３から分かるように、結合管７は、側壁４が包囲する箱状本体部を越えて延びている。これは、ブロックが相互の上に積み重なる時、積み重ねブロック上の箱状本体部３は相互に離間することを意味する。
これを説明する図４は、図１〜３の積み重ねブロックの２倍の大きさの積み重ねブロック９を示し、図１に示す形式の積み重ねブロック１が積み重ねブロック９上に置かれる。図４から分かるように、積み重ねブロック９と積み重ねブロック１の間にすきま１０が生じ、このすきまは図３の結合管７が側面４によって規定される積み重ねブロック上で本体部から突出する間隔に相当する幅を有する。これによって与えられる握り縁は、すきま１０において積み重ねブロック１を非常に握りやすくするから、図４に示すように、積み重ねブロック１は最下部の積み重ねブロック９から持ち上げられる。
図５と６はこの発明の別の利点を説明のために、結合装置を異なるモジュール間隔とともに組み合せる方法を示す。図５は結合ノブ６を有する建物板１１を示し、ここでは、それぞれ７個の結合ノブ６の４列が示されている。これらの結合ノブ６は図２に示す積み重ねブロック５上の結合ノブ６に相当する。
図４に示す積み重ねブロック９の断面形状は太線で示し、かつ側壁４と内部フランジ１２は、建物板１１上で結合ノブ６にどのように交差するかが分かる。しかしながら、すきま１０が結合板１１と積み重ねブロック９の間に与えられるから、これらは相互に結合可能である（すきま１０は建物板１１上の結合ノブ６の高さよりも広いから）。
この発明に従えば、積み重ねブロックの間のすきまは、積み重ねブロックの本体部下方に結合管７を延長するのと異なる方法で確定してもよい。図７と８は、図４の積み重ねブロック９にほぼ相当する基礎部材１３から成る積み重ねブロックの代替的実施例を示す。図７と８に示すように、基礎部材１３は４個の車輪１４を有する。図８に示す結合管７を先行実施例に示すように延長する時、非常に大きい車輪を必要とする。したがって、結合管７の内部は、大きい結合ノブ、例えば図１に示すノブを有する別のブロック上に積み重ねた後、直ちに結合ノブ２の表面に係合しかつこれらの間にすきまを与えるフランジ１５とともに形成される。
このように、この発明による２個の積み重ねブロックの間のすきまは多くの異なる方法で与えられ、かつ非常に多数の変形が存在し得ることは当業者には明らかである。さらに、図示したこの発明の実施例は、積み重ねブロックの形状やノブの数、かつ材料の選択に関して変更してもよい。
【図１】
0003759956.tif 000002
【図２】
0003759956.tif 000003
【図３】
0003759956.tif 000004
【図４】
0003759956.tif 000005
【図５】
0003759956.tif 000006
【図６】
0003759956.tif 000007
【図７】
0003759956.tif 000008
【図８】
0003759956.tif 000009